(57)【要約】  本発明は、フィルタディスクとして、透過光モードで使用することができるピンホールディスクに関しており、殊に共焦点式顕微鏡内で使用可能であり、且つ、固定の外経ｒｍａｘ及び内経ｒｍｉｎの内孔を有する透光性材料製のピンホールディスクに関している。透光性材料は、少なくとも大きな領域に非透過性層が設けられており、この領域に、透過性ピンホールのパターンが設けられている。このピンホールは、ほぼ均一の点密度がディスク上に得られるような規則に従って配置構成されている。
2009534695.tif 000002
【特許請求の範囲】
【請求項１】
透過光モードでフィルタディスクとして殊に共焦点式顕微鏡内で使用可能であり、且つ、固定の外経ｒｍａｘ及び内経ｒｍｉｎの内孔を有する透光性材料製のピンホールディスクにおいて、
前記透光性材料は、少なくとも大きな領域内に非透過性層が設けられており、前記領域に、透過性ピンホールのパターンが設けられており、前記ピンホールは、以下の規則に従って配置構成されており：
ａ．  ディスクは、一定の半径間隔Δｒの半径ｒ１，ｒ２．．．．，ｒｎのｎ個の同じ厚みの円形環に分割されており、
ｂ．  前記ディスクの原点から出た直線は、全ての前記円形環を角度α０で交差し、
ｃ．  同心円状の各円と前記直線との各交点には、第１のピンホールが配設されており、
前記各円での直ぐ次のピンホールの角度は、最後の角度と、前記円の半径に典型的な被加数ｄα（ｒｉ）の和から算出され、該算出の際、前記角度ｄα（ｒｉ）＝Ｄ２／（Δｒ×ｒｉ）は、ラジアンで算出され、該ラジアンで算出することにより、前記ピンホールの全角度位置は、式α（ｒｉ，ｊ）＝α０＋ｊ×ｄα（ｒｉ）に従って算出され、且つ、０〜２πの角度だけが考慮され、該式で、
ｉ＝ラジアンの数、
Ｄ＝同じ半径上の２つの前記各ピンホール間の距離、
ｊ＝前記円形環上の前記各ピンホールの個数であることを特徴とするピンホールディスク。
【請求項２】
各々の半径上で、各々のピンホールの角度座標は、先ず、ランダムジェネレータを介して、角度Δαが算出され、この角度は、最大の平均ピンホール間隔になる迄正乃至負の方にずらすことができ、つまり、Δα＝［（−Ｄ／ｒｉ）．．（Ｄ／ｒｉ）］であり、当該のずれの角度は、前記各ピンホールに対して新規に形成され、前記ずれの角度の平均値に加算され、当該加算により、最後のステップとして、隣接する各ピンホールに対して最小間隔が確実に形成されるように各角度がずらされ、前記最小間隔は、平均間隔の９０°より小さい請求項１記載のピンホールディスク。
【請求項３】
ディスクのＶ字形の領域は、透明且つ構造が形成されておらず、前記Ｖ字形の両辺は、前記ディスクの中心と一致している請求項１又は２記載のピンホール。
【請求項４】
２つのフォーク状ライトバリア（６，７）が設けられており、該フォーク状ライトバリアは、パルス状に顕微鏡のイメージセンサと結合され、Ｖ字形の領域の通過（Ｋｅｉｌｄｕｒｃｈｌａｕｆ）の検出用に設けられている請求項３記載のピンホールディスク。
【発明の詳細な説明】
【技術分野】
【０００１】
本発明は、共焦点型顕微鏡で使用するための、ユニバーサルピンホールパターンを形成するための方法に関する。
【０００２】
ここで説明する方法は、回転する共焦点フィルタディスク上に最適化されたピンホールパターンをユニバーサル（ｕｎｉｖｅｒｓｅｌｌｅｎ）に形成するために用いられる。この方法を用いて、新たな形式のホールパターンを形成することができ、つまり、これまで使用されてきたニポーディスク（Ｎｉｐｋｏｗｓｃｈｅｉｂｅｎ）に較べて、調整、アンバランス及び同期にさほど要求レベルが高くないホールパターンを形成することができる。これまで使用されてきたニポーディスクとは異なり、ピンホールの密度は、全ディスク半径に亘って一定のままである。イメージ面に対して、システムのダイナミック特性に負の影響を及ぼすことがある、付加的な輝度のＶ字形部（Ｈｅｌｌｉｇｋｅｉｔｓｋｅｉｌ）は生じない。付加的な明暗のストライプ状のパターンを生じることがある、力学的な（ｍｅｃｈａｎｉｓｃｈｅ）アンバランスによって逆方向に調整されたり、調整がはずれたりするという問題は、同様に除去することができる。同様に、ディスクの回転数と撮像モードの露光時間とを所期のように同期化するという問題も緩和することができる。これらの各特性に対して付加的に、共焦点でない概観イメージ（Ｕｅｂｅｒｓｉｃｈｔｓｂｉｌｄ）を形成するための特別な領域は形成されない。
【０００３】
この（Ｖ字形の）領域は、しかし、通常の共焦点フィルタディスク（例えば、ニポーディスク）でも形成されることがあり、本発明の新規なピンホールの構成に制限されない。
【０００４】
ここで説明している本発明を用いると、通常の顕微鏡モードと共焦点モードとの間で機械的な切換スイッチを切り換えずに、最初から、共焦点型顕微鏡の作動が可能である。切換スイッチに依存せずに、本発明によると、ピンホールディスクの外側面上での一方の側の強度が低減せずに、最初から、共焦点作動を行うことができ、調整がはずれたり、又は、回転ディスクがアンバランスになった場合でも接触の少ない作動が可能となり、撮影モードの露光時間に簡単に同期化することができる。
【０００５】
図面：
図１は、ピンホールディスクの大まかなセグメンテーションを行うための原理略図、
図２は、ピンホールディスク上のほぼ均一なピンホール密度を形成するための原理略図、
図３は、ピンホールディスク上の各ピンホールパターンの最小間隔の対称化の算出及び保持を行うための原理略図を示す。
【０００６】
図１は、透過光モードで作動するピンホールディスクの大まかなセグメンテーション用の原理略図を示す。ディスクは、固定の外径ｒｍａｘ（４）及び内径ｒｍｉｎ（３）の内孔を有する、丸く切断された透光性材料製である。透光材料には、非透過性（ＮＤ＞３）の、特別に構造化された層が設けられている。この構造は、例えば、角度、製品番号及び社名のようなマーキングの他に、２つのセグメントに分割されている。１．）顕微鏡の概観イメージを可能にするために、ディスクの中心点にコーナーを有する三角形状の透過性のＶ字形部（１）と：２．）ディスクの残りの部分とに分割されており、このディスクの残りの部分には、透過性のピンホールのほぼ均一なピンホールパターンが設けられている。その際、先ず、確実に最小間隔が維持されるように隣接して各ピンホールが配列されるように決定されたピンホールパターン（２）が形成され、このピンホールは、適切に確率的に拡散処理され、続いて、隣接し合った各ピンホール間に最小間隔を維持するために適切に補正される。
【０００７】
ディスクは、当該ディスクの中心点を中心にして回転する。観測すべきイメージ領域（５）を通過して、顕微鏡概観モード（Ｕｅｂｅｒｓｉｃｈｔｓｍｏｄｕｓ）用の透過性のＶ字形部も、ピンホールパターンも動く。２つのフォーク状ライトバリア（Ｇａｂｅｌｌｉｃｈｔｓｃｈｒａｎｋｅｎ）（６）及び（７）によって、透過性のＶ字形部がイメージ面内に達して、当該イメージ面を離れる時点を検出することができる。一般的な状態（Ａｌｌｇｅｍｅｉｎｈｅｉｔ）を制限せずに、透過性のＶ字形部がイメージフィールド内に達する直前にライトバリア（６）は、パルスを送出し、透過性のＶ字形部がイメージ領域を離れる際に、ライトバリア（７）がパルスを送出する。イメージセンサの露光が時点（６）及び時点（７）で終了する際、概観イメージを形成することができる。時点（７）で露光が開始し、時点（６）で終了すると、共焦点イメージを撮影することができる。露光期間が、時点（６）から時点（６）の直ぐ次のパルス迄に選定されると、共焦点且つ概観モードの結合イメージを撮影することができる。これは、パルス（７）が用いられた場合にも機能する。殊に、急峻な側縁及び非常に光が弱い試料では、このやり方は、従来の方法よりも良好なパフォーマンスを有している。
【０００８】
図２は、ピンホールディスク上のほぼ均一なピンホール密度を形成するための原理略図を示す。基本パターンを形成するために、簡単にするために、シリンダの座標内で算出され、ディスク全体が、一定半径間隔Δｒ＝（ｒｍａｘ−ｒｍｉｎ）／（ｎ−１）の半径ｒ１，ｒ２，ｒ３，．．．，ｒｎのｎ個の均等な厚みのＶ字形環に分割されている。各円形環は、当該円形環の中心点に原点を有している。原点から出た直線は、全ての前記円形環を角度α０で交差する。各同心円と半直線との各交点に、各円に対して、第１のピンホールが配設されている。各円で、後続するピンホール中心の角度は、最後の角度と、円半径に典型的な被加数ｄα（ｒｉ）との和から算出される。角度ｄα（ｒｉ）は、ラジアンで算出され、ｄα（ｒｉ）＝Ｄ２／（Δｒ・ｒｉ）となる。各ピンホールの全角度位置は、式α（ｒｉ，ｊ）＝α０＋ｊ・ｄα（ｒｉ）により算出され、その際、０〜２πの角度しか考慮されない。これにより、各ピンホールをほぼ均一に分布するための基本的な幾何形状が得られる。各個別円上に分布された各ピンホールの個数は、その際、連続的に円半径の整数倍で増大し、且つ、局所の最小値を有することはできない。
【０００９】
１つの円上で、各々２つの隣り合う各ピンホール間の間隔は、各円上で外側から内側に向かって常に一定であり、その結果、α０で隣り合った各ピンホールの結合線は、緩やかに湾曲している。
【００１０】
図３は、対称化を崩し、及び、隣り合った各ピンホール間の所定の最小間隔を保持するための原理略図を示す。その際、半径は変わらない。角度座標だけがずらされる。（１）は、ピンホールの角度をずらすための手段を示す。その際、ランダムジェネレータを介して、角度Δαが算出され、つまり、この角度は、最大の平均ピンホール間隔になる迄、正乃至負にずらすことができ、つまり、Δα＝［（−Ｄ／ｒｉ）．．（Ｄ／ｒｉ）］である。このずれ角度は、各ピンホール毎に新たに形成され、その角度値に加算される。最終ステップとして、隣接ピンホールに対する最小間隔を保障するように角度ずれがおこなわれる（２）。その際、必要なずれの回数を低減し、且つ、必要な最大ずれ角度を低減するために、最小間隔は、平均間隔の９０％より小さな値にする必要がある。拡散区間の定義及び最小間隔を保障することにより、最大ずれ角度は、ピンホール毎に最大ずれは、ほぼ平均ピンホール間隔となる。
【図面の簡単な説明】
【００１１】
【図１】ピンホールディスクの大まかなセグメンテーションを行うための原理略図
【図２】ピンホールディスク上のほぼ均一なピンホール密度を形成するための原理略図
【図３】ピンホールディスク上の各ピンホールパターンの最小間隔の対称化の算出及び保持を行うための原理略図
【図１】
2009534695.tif 000003
【図２】
2009534695.tif 000004
【図３】
2009534695.tif 000005
【国際調査報告】
2009534695.tif 000006
2009534695.tif 000007
2009534695.tif 000008
2009534695.tif 000009
2009534695.tif 000010
2009534695.tif 000011